【事件の表示】
　特許第２９４１６６９号「液晶組成物」の請求項１ないし８に係る特許に対する特許異議の申立てについて、次のとおり決定する。
【結　論】
　訂正を認める。
　特許第２９４１６６９号の請求項１ないし２に係る特許を取り消す。
【理　由】
１．手続の経緯
本件特許第２９４１６６９号に係る出願は、平成６年１２月５日に出願されたものであって、平成１１年６月１８日にその特許権の設定登録がされ、その後、チッソ株式会社及びメルク　パテント　ゲゼルシャフト　ミット　ベシュレンクテル　ハフトングより特許異議の申立てがされ、取消しの理由が通知され、その指定期間内である平成１２年１２月１１日付けで訂正請求がされ、平成１３年１月２２日付けで異議申立人２社に審尋がされ、回答がされ、その後平成１３年７月１８日付けで特許権者に審尋がされ、平成１３年１０月１日付けでその回答がされたものである。
２．訂正の適否についての判断
（１）訂正の内容
　ア．訂正事項ａ
　特許請求の範囲の請求項１ないし５及び請求項８を削除する。
　イ．訂正事項ｂ
　特許請求の範囲の請求項６の記載について、「【請求項６】」とあるのを「【請求項１】」と、「（数２）の関係を満足し、」とあるのを「（数２）の関係を満足し、
【数１】
Ｔ５０＝（Ｔｏｎ−Ｔｏｆｆ）×０．５＋Ｔｏｆｆ　
Ｔ１０＝（Ｔｏｎ−Ｔｏｆｆ）×０．１＋Ｔｏｆｆ　
【数２】
ｌＶ５０／Ｖ１０ｌ≦１．０３」と、「（化５）」とあるのを「（化１）」と、「【化５】」とあるのを「【化１】」と訂正し、【請求項１】として繰り上げる。
　ウ．訂正事項ｃ
　特許請求の範囲の請求項７の記載について、「【請求項７】」とあるのを「【請求項２】」と、「（化３）」とあるのを「（化２）」と、「（化４）」とあるのを「（化３）」と、「（化５）」とあるのを「（化１）」と、「特徴とする液晶組成物。」とあるのを「特徴とする液晶組成物。
【化２】
　Ｘ；不飽和環，脂環，アルキル基およびアルコキシ基のうち少なくとも１つを含む基
【化３】
　Ｘ；不飽和環，脂環，アルキル基およびアルコキシ基のうち少なくとも１つを含む基」と訂正する。
　エ．訂正事項ｄ
　段落【０００６】の記載について、「請求項１〜８記載の」とあるのを、「請求項１および２に記載の」と訂正する。
　オ．訂正事項ｅ
　段落【０００７】〜【０００８】、【００１０】〜【００１５】、【００１８】〜【００４９】、【００５９】〜【００６１】、【００６３】〜【００６４】の記載を削除する。
　カ．訂正事項ｆ
　段落【０００９】の記載について、「請求項６記載の」とあるのを「請求項１記載の」と、「（化５）」（２個所）とあるのを「（化１）と、「請求項７記載の」とあるのを「請求項２記載の」と、「（化３）」とあるのを「（化２）」と、「（化４）」とあるのを「（化３）」とそれぞれ訂正する。
　キ．訂正事項ｇ
　段落【００１６】の記載について、「前述の事情は、分子末端に、２個のフッソ原子または３個のフッソ原子を有する液晶分子成分についても、当てはまる。したがって、請求項５記載の液晶組成物によれば、分子の末端にフッソ原子２個を有する液晶分子の分量を５ｗｔ％以下にし、また、請求項６記載の液晶組成物によれば、分子の末端にフッソ原子３個を有する液晶分子の分量を５ｗｔ％以下にしたことにより、表示上のクロストークを抑えるとともに、表示のムラを少なくして均一性の向上を図っている。」とあるのを「【作用】請求項１記載の液晶組成物によれば、分子の末端にフッソ原子３個を有する液晶分子の分量を５ｗｔ％以下にしたことにより、表示上のクロストークを抑えるとともに、表示のムラを少なくして均一性の向上を図っている。これらに関係する要因は、分子末端に３個のフッソ原子を有する液晶分子は、極性が高く、吸着等起こす傾向があることにあると思われる。駆動実効電圧の関連、表示のコントラストの関連は、分子末端に３個のフッソ原子を有する液晶分子の存在により、液晶組成物全体の誘電異方性が大きく上昇することにある。しかしながら、この種の液晶分子の合成には、不純物の混入が、現在のところ必然であり、液晶組成物の電気抵抗値を下げる。したがって、この面からも、液晶パネルの表示に、クロストークが増加され、また消費電力の上昇を招く。この概略の限界が、分子末端に３個のフッソ原子を有する液晶分子の分量にして、５ｗｔ％である。」と訂正する。
　ク．訂正事項ｈ
　段落【００１７】の記載について、「また、請求項７記載の」とあるのを「また、請求項２記載の」と訂正する。
　ケ．訂正事項ｉ
　段落【００５０】の記載について、「以上のことから、(化４）のように分子の末端にフッソ原子２個を有する液晶分子の分量が約５ｗｔ％以下である液晶組成物を用いることにより、クロストークや表示ムラを改善でき、良好な表示の得られる液晶表示装置を実現できることがわかる。（第６の実施例）この実施例では、液晶組成物中の、分子の末端にフッソ原子３個を有する液晶分子の分量について説明する。」とあるのを「【実施例】　以下、この発明の実施例を説明する。（第１の実施例）この実施例では、液晶組成物中の、分子の末端にフッソ原子３個を有する液晶分子の分量について説明する。」と訂正する。
　コ．訂正事項ｊ
　段落【００５１】の記載について、「(化５）」（２個所）とあるのを「（化１）」と、「かつ、第４の実施例のように、（化３）」（２個所）とあるのを「かつ、（化２）」とそれぞれ訂正する。
　サ．訂正事項ｋ
　段落【００５２】の記載について、「液晶組成物６３は、（化５）のように分子の末端にフッソ原子３個を有する液晶分子の分量が約６ｗｔ％であり、かつ、第４の実施例のように、（化３）で示される分子の末端にシアノ基とフッソ原子の両方を有する液晶分子の分量が約４ｗｔ％である液晶組成物である。これらの液晶組成物６１〜６３を用いて、それぞれ、２４０°の角度に捻られたスーパーツイステッドネマティック・モードの液晶表示装置を公知のごとく、作製した。これらの液晶表示装置は、第１の実施例に示す「第１の特性」および「第２の特性」を有するものであった。」とあるのを「液晶組成物６３は、（化１）のように分子の末端にフッソ原子３個を有する液晶分子の分量が約６ｗｔ％であり、かつ、（化２）で示される分子の末端にシアノ基とフッソ原子の両方を有する液晶分子の分量が約４ｗｔ％である液晶組成物である。これらの液晶組成物６１〜６３を用いて、それぞれ、２４０°の角度に捻られたスーパーツイステッドネマティック・モードの液晶表示装置を公知のごとく、作製した。デューティは１／２００とした。このとき、液晶にかかるべき実効電圧としては、デューティ比で決定されるＶｏｆｆ（オフ電圧）とＶｏｎ（オン電圧）の２種類ないし、階調表示の場合にはＶｏｆｆとＶｏｎとさらにこの間の実効電圧を使用し、Ｖｏｆｆ，Ｖｏｎに対応する液晶表示装置の透過率がＴｏｆｆ，Ｔｏｎとなる場合に、Ｔ５０とＴ１０を
Ｔ５０＝（Ｔｏｎ−Ｔｏｆｆ）×０．５＋Ｔｏｆｆ
Ｔ１０＝（Ｔｏｎ−Ｔｏｆｆ）×０．１＋Ｔｏｆｆ
と定義し、Ｔ５０，Ｔ１０に対応する実効電圧を、それぞれ、Ｖ５０，Ｖ１０とするとき、
ｌＶ５０／Ｖ１０ｌ≦１．０３
であった。もちろん、Ｖｏｆｆは、誘電異方性が大きくなるほど、小さくなった。以上のことを第２の実施例の説明において、「第１の特性」という。また、これらの液晶表示装置においては、１／２００デューティの駆動において、Ｖｏｆｆに対応する電圧パルス列からＶｏｎに対応する電圧パルス列に切り換えたときのＴｏｆｆからＴｏｎへの切り換わり速度と、Ｖｏｎに対応する電圧パルス列からＶｏｆｆに対応する電圧パルス列に切り換えたときのＴｏｎからＴｏｆｆへの切り換わり速度との和が、７００ｍｓ以下であった。これを第２の実施例の説明において、「第２の特性」という。」と訂正する。
　シ．訂正事項ｌ
　段落【００５３】の記載について、「これらの液晶表示装置のクロストークの評価および表示の均一性の評価を、第１の実施例と同様に行った」とあるのを「これらの液晶表示装置のクロストークの評価は、簡易的に以下の方法で行った。図１はこの評価方法を説明するための特性図である。図１において、１はべタ白表示の際の白表示画素の透過率−駆動電圧特性、２はチェッカーパターン表示の際の白表示画素の透過率−駆動電圧特性、３はズレの電圧値である。液晶表示装置に、べタ白表示に対する駆動波形と、チェッカーパターン表示に対する駆動波形とを適用し、この時の白表示点の輝度−電圧波高値特性の電圧値でのズレから評価する。もちろん、ズレが０ボルトの時、理想的となる。評価指標として、駆動に必要な電圧波高値に対するズレの電圧値を百分率で表す。」と訂正する。
　ス．訂正事項ｍ
　段落【００５４】の記載について、「表示の均一性に関する百分率は、」とあるのを「これらの液晶表示装置の表示の均一性を評価するために、簡易的に以下の方法で行った。まず、表示装置の中央の局所点における前記のＶ５０の電圧を表示装置に印加し、この各々局所的輝度の情報を半導体素子、ＣＣＤカメラで取り、この各局所的情報をメモリーに記録させ、これらの情報値の平均値に対して、各局所的情報値の標準偏差を算出する。この標準偏差を百分率で表す。表示の均一性に関する百分率は、」と、「（化５）」とあるのを「（化１）」とそれぞれ訂正する。
　セ．訂正事項ｎ
　段落【００５５】の記載について、「（第７の実施例）」とあるのを「（第２の実施例）」と、「（化３）」とあるのを「（化２）」と、「（化４）」とあるのを「（化３）」と、「（化５）」とあるのを「（化１）」とそれぞれ訂正する。
　ソ．訂正事項ｏ
　段落【００５６】の記載について、「（化３）」とあるのを「（化２）」と、「（化４）」とあるのを「（化３）」と、「（化５）」とあるのを「（化１）」とそれぞれ訂正する。
　タ．訂正事項ｐ
　段落【００５８】の記載について、「（化３）」とあるのを「（化２）」と、「（化４）」とあるのを「（化３）」と、「（化５）」とあるのを「（化１）」とそれぞれ訂正する。
　チ．訂正事項ｑ
　段落【００６５】の記載について、「また、（化４）のように、分子の末端にフッソ原子２個を有する液晶分子の分量を５ｗｔ％以下にした液晶組成物を用いることにより、クロストークや表示ムラを改善でき、良好な表示の得られる液晶表示装置を実現できる。また、(化５）のように、」とあるのを「【発明の効果】以上のようにこの発明によれば、(化１）のように、」と訂正する。
　ツ．訂正事項ｒ
　段落【００６６】の記載について、「（化３）」とあるのを「（化２）」と、「（化４）」とあるのを「（化３）」と、「（化５）」とあるのを「（化１）」とそれぞれ訂正する。
（２）訂正の目的の適否、新規事項の有無及び拡張・変更の存否
　ア．訂正事項ａは、特許請求の範囲の請求項１ないし５及び８を削除するものであるから、特許請求の範囲の減縮を目的とするものである。
　イ．訂正事項ｂないしｒは、訂正事項ａに伴う請求項の繰り上がり、または、不整合となる記載を整合させるため、あるいは、発明の詳細な説明の段落の削除により整理が必要となった記載を他の段落にそのまま転載するための訂正であり、これも不整合となる記載の整合を目的とするものであるから、これらの訂正は、明りょうでない記載の釈明を目的とする訂正に該当する。
（３）むすび
　以上のとおりであるから、本件訂正は、特許法等の一部を改正する法律（平成６年法律第１１６号）附則第６条第１項の規定によりなお従前の例によるとされる、特許法第１２０条の４第２項及び第３項において準用する平成６年法律第１１６号による改正前の特許法第１２６条第１項ただし書及び第２項の規定に適合するので、当該訂正を認める。
３．特許異議の申立てについて
　（１）本件発明
　上記のとおり訂正が認められるから、本件特許第２９４１６６９号の請求項１ないし２に係る発明は、訂正された特許明細書及び図面の記載からみて、その特許請求の範囲の請求項１ないし２に記載された次のとおりのものである。（以下、「本件発明１ないし２」という。）
「【請求項１】一対の基板間に挟持された液晶が２２０°以上の角度に捻られたスーパーツイステッドネマティック・モードの液晶表示装置であり、前記液晶にかかるべき実効電圧のうちデューティ比で決定されるオフ電圧（Ｖｏｆｆ），オン電圧（Ｖｏｎ）のそれぞれに対応する透過率をＴｏｆｆ，Ｔｏｎとしたときに、（数１）で示されるＴ５０に対応する実効電圧Ｖ５０と、（数１）で示されるＴ１０に対応する実効電圧Ｖ１０とが、（数２）の関係を満足し、
【数１】
Ｔ５０＝（Ｔｏｎ−Ｔｏｆｆ）×０．５＋Ｔｏｆｆ
Ｔ１０＝（Ｔｏｎ−Ｔｏｆｆ）×０．１＋Ｔｏｆｆ
【数２】
｜Ｖ５０／Ｖ１０｜≦１．０３
かつ、１／２００デューティの駆動において、Ｖｏｆｆに対応する電圧パルス列からＶｏｎに対応する電圧パルス列に切り換えたときのＴｏｆｆからＴｏｎへの切り換わり速度と、Ｖｏｎに対応する電圧パルス列からＶｏｆｆに対応する電圧パルス列に切り換えたときのＴｏｎからＴｏｆｆへの切り換わり速度との和の上限が７００ｍｓである前記液晶表示装置の液晶として用い、かつ、前記液晶表示装置のクロストークが抑制され、表示の均一性が改善されるように、（化１）のように、分子の末端にフッソ原子３個を有する液晶分子を含有し、この液晶分子の分量を５ｗｔ％を上限としたことを特徴とする液晶組成物。
【化１】
Ｘ；不飽和環，脂環，アルキル基およびアルコキシ基のうち少なくとも１つを含む基
【請求項２】一対の基板間に挟持された液晶が２２０°以上の角度に捻られたスーパーツイステッドネマティック・モードの液晶表示装置であり、前記液晶にかかるべき実効電圧のうちデューティ比で決定されるオフ電圧（Ｖｏｆｆ），オン電圧（Ｖｏｎ）のそれぞれに対応する透過率をＴｏｆｆ，Ｔｏｎとしたときに、（数１）で示されるＴ５０に対応する実効電圧Ｖ５０と、（数１）で示されるＴ１０に対応する実効電圧Ｖ１０とが、（数２）の関係を満足し、かつ、１／２００デユーティの駆動において、Ｖｏｆｆに対応する電圧パルス列からＶｏｎに対応する電圧パルス列に切り換えたときのＴｏｆｆからＴｏｎへの切り換わり速度と、Ｖｏｎに対応する電圧パルス列からＶｏｆｆに対応する電圧パルス列に切り換えたときのＴｏｎからＴｏｆｆへの切り換わり速度との和の上限が７００ｍｓである前記液晶表示装置の液晶として用い、かつ、前記液晶表示装置のクロストークが抑制され、表示の均一性が改善されるように、（化２）のように分子の末端にシアノ基とフッソ原子を有する液晶分子と、（化３）のように分子の末端にフッソ原子２個を有する液晶分子と、（化１）のように分子の末端にフッソ原子３個を有する液晶分子とを含有し、これらの液晶分子の分量の和を１０ｗｔ％を上限としたことを特徴とする液晶組成物。
【化２】
Ｘ；不飽和環，脂環，アルキル基およびアルコキシ基のうち少なくとも１つを含む基
【化３】
Ｘ；不飽和環，脂環，アルキル基およびアルコキシ基のうち少なくとも１つを含む基」
　（２）異議申立ての概要
　ア．異議申立人チッソ株式会社（以下、「申立人１」という。）は、証拠として甲第１ないし７号証を提示し、訂正前の本件請求項１ないし８に記載された発明は、特許法第２９条第２項の規定により特許を受けることができないか、あるいは、本件明細書の発明の詳細な説明は、当業者がその実施をすることができる程度に、構成及び効果が記載されていないから、特許法第３６条第４項の要件を満たしていない旨主張している。
　イ．異議申立人メルク　パテント　ゲゼルシャフト　ミット　ベシュレンクテル　ハフトング（以下、「申立人２」という。）は、証拠として、甲第１ないし５号証を提示し、訂正前の本件請求項１ないし８に記載された発明は、特許法第２９条第１または２項の規定により特許を受けることができないか、あるいは、本件明細書の記載に不備があるから、特許法第３６条第４項及び第５項の要件を満たしていない旨主張している。
　［証拠一覧］
　（申立人１が提出したもの）
　甲第１号証：特開平３−７３９２２号公報
　甲第２号証：特開平４−２２０４８９号公報
　甲第３号証：特開昭６４−８７６８５号公報
　甲第４号証：特開平１−１５６３９２号公報
　甲第５号証：特開平６−１０８０５２号公報
　甲第６号証：特開平３−６２８８７号公報
　甲第７号証：特開平４−２９９３０８号公報
  （申立人２が提出したもの）
　甲第１号証：ヨーロッパ特許公開第３６４５８８号明細書
　甲第２号証：ヨーロッパ特許公開第３９３４９０号明細書
　甲第３号証：ヨーロッパ特許公開第３９０３９５号明細書
　甲第４号証：実験報告書（訳文付）
　参考資料１：特開平１−１５６３９２号公報（甲第１号証に対応する公開公報、申立人１の甲第４号証）
　参考資料２：特開平３−６２８８７号公報（甲第２号証に対応する公開公報、申立人１の甲第６号証）
　参考資料３：特開平２−２５３２３７号公報（甲第３号証に対応する公開公報）
　（３）当審の判断
　当審では、申立人１及び２の主張と同旨の取消しの理由を通知したところ、特許権者は前記の訂正請求により、特許請求の範囲の請求項１ないし５及び８を削除し、請求項６及び７の引用部分を明記し請求項１及び２と繰り上げた。
　その訂正前の請求項６及び７の発明に対し、当審の取消しの理由で、理由３）として、本件出願は明細書及び図面の記載が不備のため、特許法第３６条第４項の要件を満たしていない旨通知している。
　その概要は、次の２点を包含するものである。
　（１）本件発明における化１〜化５の化合物の定義について、化１〜化５についての各定義は、極めて広範な化合物を含んでおり、それ自体不明瞭であり、またそれらの化合物自体本件特許明細書に十分に開示されていない。
　（２）本件発明の再現性について、本件発明で定義される化１〜化５の化合物を含む液晶組成物であっても、その選択の仕方によって夫々の液晶組成物の物性は大きく異なっている。本件発明は、化１〜化５の選択肢が膨大な数にのぼり、本件発明の再現が極めて困難である。（申立人２の異議申立書２４〜３１頁参照）（訂正により、化３は化２と、化４は化３と、化５は化１となった。）
　訂正前の請求項６あるいは７にした上記取消しの理由は、実質的に訂正後の本件発明１あるいは２にされたものであるから、本件発明１及び２について判断する。
　ア．本件発明１について
　特許権者は、意見書及び訂正請求書を提出して、訂正後の本件発明１は、スーパーツイステッドネマチック・モードの液晶表示装置に用いる液晶組成物として、(化１）のように、分子の末端にフッソ原子３個を有する液晶分子を含有し、この液晶分子の分量を５ｗｔ％を上限とすることに特徴とするものであると主張し、その根拠として、本件明細書には、「表示上のクロストークを抑えるとともに、表示のムラを少なくして均一性の向上を図っている。これらに関係する要因は、分子末端に３個のフッソ原子を有する液晶分子は、極性が高く、吸着等起こす傾向があることにあると思われる。駆動実効電圧の関連、表示のコントラストの関連は、分子末端に３個のフッソ原子を有する液晶分子の存在により、液晶組成物全体の誘電異方性が大きく上昇することにある。しかしながら、この種の液晶分子の合成には、不純物の混入が、現在のところ必然であり、液晶組成物の電気抵抗値を下げる。したがって、この面からも、液晶パネルの表示に、クロストークが増加され、また消費電力の上昇を招く。この概略の限界が、分子末端に３個のフッソ原子を有する液晶分子の分量にして、５ｗｔ％である。」（段落【００１６】参照）と記載されていることを挙げている。
　これに対し、当審では特許権者に、（化１）で表される液晶化合物が合成に際し不可逆的に不純物が混入し、電気抵抗値が下がることが普遍的なことかどうか審尋をしたところ、特許権者は回答書において、全ての液晶化合物（（化１）も含む）の合成に際し比抵抗値が下がるかどうかは不明確としたうえで、今般具体的に開示する（化１）に相当する化合物を含む液晶組成物においては、比抵抗値が下がり、本件明細書記載の作用・効果を奏する旨主張している。
　その点について検討すると、回答書の図１に「各化合物の分量と比抵抗値の関係」を表すものがあるが、これらの化合物は、この回答書において初めて明らかにされたものである。しかも依然として、液晶組成物の大部分を占めるそれ以外の化合物及びその配合割合は不明である。
　そして、特許権者は、「全ての液晶化合物（（化１）も含む）の合成に際し比抵抗値が下がるかどうかは不明確」と自認することから、回答書において開示された特定の組成物に関しては、「分子の末端にフッソ原子３個を有する液晶分子の分量を５ｗｔ％を上限とする」ことにより「表示上のクロストークを抑えるとともに、表示のムラを少なくして均一性の向上を図る」という本件発明１の作用・効果が認められるとしても、これだけでは「（化１）で表されるその他の液晶化合物が合成に際し不可逆的に不純物が混入し、電気抵抗値が下がることが普遍的なこと」とする根拠とはなり得ず、「（化１）の液晶分子の分量を５ｗｔ％を上限とする」構成の採用と「表示上のクロストークを抑えるとともに、表示のムラを少なくして均一性の向上を図る」とする効果との直接の関連が回答書に開示された組成物以外の組成物に対しても広くあてはまるものとは認められない。
　それ故、先の取消しの理由で指摘した上記（１）及び（２）の点は依然として解消されておらず、本件特許明細書の発明の詳細な説明には、本件発明１を当業者が容易に実施できる程度に、本件発明１の構成及び効果が記載されているとはいえないから、本件出願は特許法第３６条第４項に規定する要件を満たしていない。
　イ．本件発明２について
　訂正後の本件発明２は、スーパーツイステッドネマチック・モードの液晶表示装置に用いる液晶組成物として、（化２）のように分子の末端にシアノ基とフッソ原子を有する液晶分子と、（化３）のように分子の末端にフッソ原子２個を有する液晶分子と、（化１）のように分子の末端にフッソ原子３個を有する液晶分子とを含有し、これらの液晶分子の分量の和を１０ｗｔ％を上限としたことに特徴とするものであると主張し、その根拠として、本件明細書には、「請求項２記載の液晶組成物によれば、分子の末端にシアノ基とフッソ原子を有する液晶分子の分量と、分子の末端にフッソ原子２個を有する液晶分子の分量と、分子の末端にフッソ原子３個を有する液晶分子の分量との和を１０ｗｔ％以下にしている。・・・これらの液晶分子の総量の液晶組成物に対する分量は、約１０ｗｔ％以下であることが望ましい。考えられる要因は、前述のごとくである。」（段落【００１７】参照）と記載されていることを挙げている。そして、「前述のごとき要因」とは、「この種の液晶分子の合成には、不純物の混入が、現在のところ必然であり、液晶組成物の電気抵抗値を下げる。」である。
　当審の審尋に対し、特許権者は、回答書において、（化１）、（化２）、（化３）に係る全ての液晶化合物の合成に際し比抵抗値が下がるかどうかは不明確としたうえで、今般具体的に開示する（化１）、（化２）、（化３）に相当する化合物を含む液晶組成物においては、比抵抗値が下がり、本件明細書記載の作用・効果を奏する旨主張している。
　その点について検討すると、回答書の図１に「各化合物の分量と比抵抗値の関係」を表すものがあるが、これらの化合物は、この回答書において初めて明らかにされたものである。しかも依然として、液晶組成物の大部分を占めるそれ以外の化合物及びその配合割合は不明である。
　そして、特許権者は、「（化１）、（化２）、（化３）に係る全ての液晶化合物の合成に際し比抵抗値が下がるかどうかは不明確」と自認することから、回答書において開示された特定も組成物に関しては「分子の末端にシアノ基とフッソ原子を有する液晶分子と分子の末端にフッソ原子２個を有する液晶分子と、分子の末端にフッソ原子３個を有する液晶分子の分量の和を１０ｗｔ％以下とした」ことにより「表示上のクロストークを抑えるとともに、表示のムラを少なくして均一性の向上を図る」という本件発明２の作用・効果が認められるとしても、これだけでは「（化１）、（化２）、（化３）で表されるその他の液晶化合物が合成に際し不可逆的に不純物が混入し、電気抵抗値が下がることが普遍的なこと」とする根拠とはなり得ず、「（化２）のように分子の末端にシアノ基とフッソ原子を有する液晶分子と、（化３）のように分子の末端にフッソ原子２個を有する液晶分子と、（化１）のように分子の末端にフッソ原子３個を有する液晶分子とを含有し、これらの液晶分子の分量の和を１０ｗｔ％を上限とする」構成の採用と「表示上のクロストークを抑えるとともに、表示のムラを少なくして均一性の向上を図る」とする効果との直接の関連が、回答書で開示された組成物以外の組成物に対しても広くあてはまるものとは認められない。
　それ故、先の取消しの理由で指摘した上記（１）及び（２）の点は依然として解消されておらず、本件特許明細書の発明の詳細な説明には、本件発明２を当業者が容易に実施できる程度に、本件発明２の構成及び効果が記載されているとはいえないから、本件出願は特許法第３６条第４項に規定する要件を満たしていない。
４．むすび
　以上のとおりであるから、本件発明１ないし２に係る特許は、拒絶の査定をしなければならない特許出願に対してされたものであるから、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１４年５月１日（２００２．５．１）
【訂正の要旨】
訂正の要旨
　ア．訂正事項ａ
　特許請求の範囲の請求項１ないし５及び請求項８を削除する。
　イ．訂正事項ｂ
　特許請求の範囲の請求項６の記載について、「【請求項６】」とあるのを「【請求項１】」と、「（数２）の関係を満足し、」とあるのを「（数２）の関係を満足し、
　【数１】
Ｔ５０＝（Ｔｏｎ−Ｔｏｆｆ）×０．５＋Ｔｏｆｆ
Ｔ１０＝（Ｔｏｎ−Ｔｏｆｆ）×０．１＋Ｔｏｆｆ
　【数２】
｜Ｖ５０／Ｖ１０｜≦１．０３」と、「（化５）」とあるのを「（化１）」と、「【化５】」とあるのを「【化１】」と訂正し、【請求項１】として繰り上げる。
　ウ．訂正事項ｃ
　特許請求の範囲の請求項７の記載について、「【請求項７】」とあるのを「【請求項２】」と、「（化３）」とあるのを「（化２）」と、「（化４）」とあるのを「（化３）」と、「（化５）」とあるのを「（化１）」と、「特徴とする液晶組成物。」とあるのを「特徴とする液晶組成物。
　【化２】
　Ｘ；不飽和環，脂環，アルキル基およびアルコキシ基のうち少なくとも１つを含む基
　【化３】
　Ｘ；不飽和環，脂環，アルキル基およびアルコキシ基のうち少なくとも１つを含む基」と訂正する。
　エ．訂正事項ｄ
　段落【０００６】の記載について、「請求項１〜８記載の」とあるのを、「請求項１および２に記載の」と訂正する。
　オ．訂正事項ｅ
　段落【０００７】〜【０００８】、【００１０】〜【００１５】、【００１８】〜【００４９】、【００５９】〜【００６１】、【００６３】〜【００６４】の記載を削除する。
　カ．訂正事項ｆ
　段落【０００９】の記載について、「請求項６記載の」とあるのを「請求項１記載の」と、「（化５）」（２個所）とあるのを「（化１）と、「請求項７記載の」とあるのを「請求項２記載の」と、「（化３）」とあるのを「（化２）」と、「（化４）」とあるのを「（化３）」とそれぞれ訂正する。
　キ．訂正事項ｇ
　段落【００１６】の記載について、「前述の事情は、分子末端に、２個のフッソ原子または３個のフッソ原子を有する液晶分子成分についても、当てはまる。したがって、請求項５記載の液晶組成物によれば、分子の末端にフッソ原子２個を有する液晶分子の分量を５ｗｔ％以下にし、また、請求項６記載の液晶組成物によれば、分子の末端にフッソ原子３個を有する液晶分子の分量を５ｗｔ％以下にしたことにより、表示上のクロストークを抑えるとともに、表示ムラを少なくして均一性の向上を図っている。」とあるのを「【作用】請求項１記載の液晶組成物によれば、分子の末端にフッソ原子３個を有する液晶分子の分量を５ｗｔ％以下にしたことにより、表示上のクロストークを抑えるとともに、表示ムラを少なくして均一性の向上を図っている。これらに関係する要因は、分子末端に３個のフッソ原子を有する液晶分子は、極性が高く、吸着等起こす傾向があることにあると思われる。駆動実効電圧の関連、表示のコントラストの関連は、分子末端に３個のフッソ原子を有する液晶分子の存在により、液晶組成物全体の誘電異方性が大きく上昇することにある。しかしながら、この種の液晶分子の合成には、不純物の混入が、現在のところ必然であり、液晶組成物の電気抵抗値を下げる。したがって、この面からも、液晶パネルの表示に、クロストークが増加され、また消費電力の上昇を招く。この概略の限界が、分子末端に３個のフッソ原子を有する液晶分子の分量にして、５ｗｔ％である。」と訂正する。
　ク．訂正事項ｈ
　段落【００１７】の記載について、「また、請求項７記載の」とあるのを「また、請求項２記載の」と訂正する。
　ケ．訂正事項ｉ
　段落【００５０】の記載について、「以上のことから、（化４）のように分子の末端にフッソ原子２個を有する液晶分子の分量が約５ｗｔ％以下である液晶組成物を用いることにより、クロストークや表示ムラを改善でき、良好な表示の得られる液晶表示装置を実現できることがわかる。（第６の実施例）この実施例では、液晶組成物中の、分子末端にフッソ原子３個を有する液晶分子の分量について説明する。」とあるのを「【実施例】　以下、この発明の実施例を説明する。（第１の実施例）この実施例では、液晶組成物中の、分子の末端にフッソ原子３個を有する液晶分子の分量について説明する。」と訂正する。
　コ．訂正事項ｊ
　段落【００５１】の記載について、「（化５）」（２個所）とあるのを「（化１）」と、「かつ、第４の実施例のように、（化３）」（２個所）とあるのを「かつ、（化２）」とそれぞれ訂正する。
　サ．訂正事項ｋ
　段落【００５２】の記載について、「液晶組成物６３は、（化５）のように分子の末端にフッソ原子３個を有する液晶分子の分量が約６ｗｔ％であり、かつ、第４の実施例のように、（化３）で示される分子の末端にシアノ基とフッソ原子の両方を有する液晶分子の分量が約４ｗｔ％である液晶組成物である。これらの液晶組成物６１〜６３を用いて、それぞれ、２４０°の角度に捻られたスーパーツイステッドネマティック・モードの液晶表示装置を公知のごとく、作製した。これらの液晶表示装置は、第１の実施例に示す「第１の特性」および「第２の特性」を有するものであった。」とあるのを「液晶組成物６３は、（化１）のように分子の末端にフッソ原子３個を有する液晶分子の分量が約６ｗｔ％であり、かつ、（化２）で示される分子の末端にシアノ基とフッソ原子の両方を有する液晶分子の分量が約４ｗｔ％である液晶組成物である。これらの液晶組成物６１〜６３を用いて、それぞれ、２４０°の角度に捻られたスーパーツイステッドネマティック・モードの液晶表示装置を公知のごとく、作製した。デューティは１／２００とした。このとき、液晶にかかるべき実効電圧としては、デューティ比で決定されるＶｏｆｆ（オフ電圧）とＶｏｎ（オン電圧）の２種類ないし、階調表示の場合にはＶｏｆｆとＶｏｎとさらにこの間の実効電圧を使用し、Ｖｏｆｆ，Ｖｏｎに対応する液晶表示装置の透過率がＴｏｆｆ，Ｔｏｎとなる場合に、Ｔ５０とＴ１０を
Ｔ５０＝（Ｔｏｎ−Ｔｏｆｆ）×０．５＋Ｔｏｆｆ
Ｔ１０＝（Ｔｏｎ−Ｔｏｆｆ）×０．１＋Ｔｏｆｆ
と定義し、Ｔ５０，Ｔ１０に対応する実効電圧を、それぞれ、Ｖ５０，Ｖ１０とするとき、
｜Ｖ５０／Ｖ１０｜≦１．０３
であった。もちろん、Ｖｏｆｆは、誘電異方性が大きくなるほど、小さくなった。以上のことを第２の実施例の説明において、「第１の特性」という。また、これらの液晶表示装置においては、１／２００デューティの駆動において、Ｖｏｆｆに対応する電圧パルス列からＶｏｎに対応する電圧パルス列に切り換えたときのＴｏｆｆからＴｏｎへの切り換わり速度と、Ｖｏｎに対応する電圧パルス列からＶｏｆｆに対応する電圧パルス列に切り換えたときのＴｏｎからＴｏｆｆへの切り換わり速度との和が、７００ｍｓ以下であった。これを第２の実施例の説明において、「第２の特性」という。」と訂正する。
　シ．訂正事項ｌ
　段落【００５３】の記載について、「これらの液晶表示装置のクロストークの評価および表示の均一性の評価を、第１の実施例と同様に行った」とあるのを「これらの液晶表示装置のクロストークの評価は、簡易的に以下の方法で行った。図１はこの評価方法を説明するための特性図である。図１において、１はベタ白表示の際の白表示画素の透過率−駆動電圧特性、２はチェッカーパターン表示の際の白表示画素の透過率−駆動電圧特性、３はズレの電圧値である。液晶表示装置に、ベタ白表示に対する駆動波形と、チェッカーパターン表示に対する駆動波形とを適用し、この時の白表示点の輝度−電圧波高値特性の電圧値でのズレから評価する。もちろん、ズレが０ボルトの時、理想的となる。評価指標として、駆動に必要な電圧波高値に対するズレの電圧値を百分率で表す。」と訂正する。
　ス．訂正事項ｍ
　段落【００５４】の記載について、「表示の均一性に関する百分率は、」とあるのを「これらの液晶表示装置の表示の均一性を評価するために、簡易的に以下の方法で行った。まず、表示装置の中央の局所点における前記のＶ５０の電圧を表示装置に印加し、この各々局所的輝度の情報を半導体素子、ＣＣＤカメラで取り、この各局所的情報をメモリーに記録させ、これらの情報値の平均値に対して、各局所的情報値の標準偏差を算出する。この標準偏差を百分率で表す。表示の均一性に関する百分率は、」と、「（化５）」とあるのを「（化１）」とそれぞれ訂正する。
　セ．訂正事項ｎ
　段落【００５５】の記載について、「（第７の実施例）」とあるのを「（第２の実施例）」と、「（化３）」とあるのを「（化２）」と、「（化４）」とあるのを「（化３）」と、「（化５）」とあるのを「（化１）」とそれぞれ訂正する。
　ソ．訂正事項ｏ
　段落【００５６】の記載について、「（化３）」とあるのを「（化２）」と、「（化４）」とあるのを「（化３）」と、「（化５）」とあるのを「（化１）」とそれぞれ訂正する。
　タ．訂正事項ｐ
　段落【００５８】の記載について、「（化３）」とあるのを「（化２）」と、「（化４）」とあるのを「（化３）」と、「（化５）」とあるのを「（化１）」とそれぞれ訂正する。
　チ．訂正事項ｑ
　段落【００６５】の記載について、「また、（化４）のように、分子の末端にフッソ原子２個を有する液晶分子の分量を５ｗｔ％以下にした液晶組成物を用いることにより、クロストークや表示ムラを改善でき、良好な表示の得られる液晶表示装置を実現できる。また、（化５）のように、」とあるのを「【発明の効果】以上のようにこの発明によれば、（化１）のように、」と訂正する。
　ツ．訂正事項ｒ
　段落【００６６】の記載について、「（化３）」とあるのを「（化２）」と、「（化４）」とあるのを「（化３）」と、「（化５）」とあるのを「（化１）」とそれぞれ訂正する。
（５４）【発明の名称】
液晶組成物
（５７）【特許請求の範囲】
　【請求項
１
　
【数１】
　
Ｔ５０＝（Ｔｏｎ−Ｔｏｆｆ）×０．５＋Ｔｏｆｆ
　
Ｔ１０＝（Ｔｏｎ−Ｔｏｆｆ）×０．１＋Ｔｏｆｆ
　
【数２】
　
｜Ｖ５０／Ｖ１０｜≦１．０３
　かつ、１／２００デューティの駆動において、Ｖｏｆｆに対応する電圧パルス列からＶｏｎに対応する電圧パルス列に切り換えたときのＴｏｆｆからＴｏｎへの切り換わり速度と、Ｖｏｎに対応する電圧パルス列からＶｏｆｆに対応する電圧パルス列に切り換えたときのＴｏｎからＴｏｆｆへの切り換わり速度との和の上限が７００ｍｓである前記液晶表示装置の液晶として用い、かつ、前記液晶表示装置のクロストークが抑制され、表示の均一性が改善されるように、（化
１
　【化
１
　【請求項
２
２
３
１
　
【化２】
　
【化３】
【発明の詳細な説明】
　【０００１】
　【産業上の利用分野】
　この発明は、液晶パネルの液晶組成物に関し、特にスーパーツイステッドネマティック（ＳＴＮ）型液晶パネルに用いられる液晶組成物に関する。
　【０００２】
　【従来の技術】
　液晶表示装置等、表示装置は、マン・マシーン・インターフェースとしては、是非必要となる技術である。特に、最近、コンピューター端末等において、ダウン・サイジングの意味からも、液晶表示装置は必須となってきた。
　現在、ワープロや、ノート型パソコンには、スーパーツイスティッドネマティック（ＳＴＮ）液晶表示装置が多用されている。
　【０００３】
　これらの用途に対する大容量液晶表示パネルにおいては、実効電圧に対する液晶挙動の急峻性が必要であり、通常、シアノ基を有する液晶分子成分、シアノ基とアルケニル基の双方を分子両端に有する液晶分子成分、さらには、シアノ基とフッソ基の双方を有する液晶分子成分、複数のフッソ原子を有する液晶分子成分が多用されてきた。
　【０００４】
　また、低周波の電気抵抗値や、誘電異方性については、あまり考慮はされていなかったのが現状である。
　ネマティック液晶分子については、岡野光治、小林駿介　共編　「液晶−基礎編」　培風館　刊　に詳しい。
　【０００５】
　【発明が解決しようとする課題】
　従来のＳＴＮ液晶パネルは、生産コストは安いが、表示上のクロストーク、表示のムラ等、表示特性に課題が多い。
　この発明の目的は、ＳＴＮ型の液晶表示装置における表示上のクロストークを抑えるとともに、表示のムラを少なくして均一性の向上を図ることのできる液晶組成物を提供することである。
　【０００６】
　【課題を解決するための手段】
　請求項１
および２に
　【０００７】
　【０００８】
　【０００９】
　請求項
１
１
２
２
３
１
　【００１０】
　【００１１】
　【００１２】
　【００１３】
　【００１４】
　【００１５】
　【００１６】
　
【作用】
　
請
１
これらに関係する要因は、分子末端に３個のフッソ原子を有する液晶分子は、極性が高く、吸着等起こす傾向があることにあると思われる。駆動実効電圧の関連、表示のコントラストの関連は、分子末端に３個のフッソ原子を有する液晶分子の存在により、液晶組成物全体の誘電異方性が大きく上昇することにある。しかしながら、この種の液晶分子の合成には、不純物の混入が、現在のところ必然であり、液晶組成物の電気抵抗値を下げる。したがって、この面からも、液晶パネルの表示に、クロストークが増加され、また消費電力の上昇を招く。この概略の限界が、分子末端に３個のフッソ原子を有する液晶分子の分量にして、５ｗｔ％である。
　【００１７】
　また、請求項
２
　【００１８】
　【００１９】
　【００２０】
　【００２１】
　【００２２】
　【００２３】
　【００２４】
　【００２５】
　【００２６】
　【００２７】
　【００２８】
　【００２９】
　【００３０】
　【００３１】
　【００３２】
　【００３３】
　【００３４】
　【００３５】
　【００３６】
　【００３７】
　【００３８】
　【００３９】
　【００４０】
　【００４１】
　【００４２】
　【００４３】
　【００４４】
　【００４５】
　【００４６】
　【００４７】
　【００４８】
　【００４９】
　【００５０】
　
【実施例】
　
以下、この発明の実施例を説明する。
　（第
１
　この実施例では、液晶組成物中の、分子の末端にフッソ原子３個を有する液晶分子の分量について説明する。
　【００５１】
　液晶組成物６１は、（化
１
、（
２
１
、（
２
　【００５２】
　液晶組成物６３は、（化
１
、（
２
それぞれ、２４０°の角度に捻られたスーパーツイステッドネマティック・モードの液晶表示装置を公知のごとく、作製した。デューティは１／２００とした。このとき、液晶にかかるべき実効電圧としては、デューティ比で決定されるＶｏｆｆ（オフ電圧）とＶｏｎ（オン電圧）の２種類ないし、階調表示の場合にはＶｏｆｆとＶｏｎとさらにこの間の実効電圧を使用し、Ｖｏｆｆ，Ｖｏｎに対応する液晶表示装置の透過率がＴｏｆｆ，Ｔｏｎとなる場合に、Ｔ５０とＴ１０を
　Ｔ５０＝（Ｔｏｎ−Ｔｏｆｆ）×０．５＋Ｔｏｆｆ
　Ｔ１０＝（Ｔｏｎ−Ｔｏｆｆ）×０．１＋Ｔｏｆｆ
と定義し、Ｔ５０，Ｔ１０に対応する実効電圧を、それぞれ、Ｖ５０，Ｖ１０とするとき、
　｜Ｖ５０／Ｖ１０｜≦１．０３
であった。もちろん、Ｖｏｆｆは、誘電異方性が大きくなるほど、小さくなった。以上のことを第２の実施例の説明において、「第１の特性」という。
　また、これらの液晶表示装置においては、１／２００デューティの駆動において、Ｖｏｆｆに対応する電圧パルス列からＶｏｎに対応する電圧パルス列に切り換えたときのＴｏｆｆからＴｏｎへの切り換わり速度と、Ｖｏｎに対応する電圧パルス列からＶｏｆｆに対応する電圧パルス列に切り換えたときのＴｏｎからＴｏｆｆへの切り換わり速度との和が、７００ｍｓ以下であった。これを第２の実施例の説明において、「第２の特性」という。
　【００５３】
　
これらの液晶表示装置のクロストークの評価は、簡易的に以下の方法で行った。図１はこの評価方法を説明するための特性図である。図１において、１はベタ白表示の際の白表示画素の透過率−駆動電圧特性、２はチェッカーパターン表示の際の白表示画素の透過率−駆動電圧特性、３はズレの電圧値である。液晶表示装置に、ベタ白表示に対する駆動波形と、チェッカーパターン表示に対する駆動波形とを適用し、この時の白表示点の輝度−電圧波高値特性の電圧値でのズレから評価する。もちろん、ズレが０ボルトの時、理想的となる。評価指標として、駆動に必要な電圧波高値に対するズレの電圧値を百分率で表す。
　クロストークの評価に関する百分率は、液晶組成物６１を用いたものは０．９％、液晶組成物６２を用いたものは１．０％、液晶組成物６３を用いたものは１．３％であった。表示を目視した結果、液晶組成物６１と６２による表示が好ましく、液晶組成物６３はクロストークが酷く、使用には不向きであった。
　【００５４】
　
これらの液晶表示装置の表示の均一性を評価するために、簡易的に以下の方法で行った。まず、表示装置の中央の局所点における前記のＶ５０の電圧を表示装置に印加し、この各々局所的輝度の情報を半導体素子、ＣＣＤカメラで取り、この各局所的情報をメモリーに記録させ、これらの情報値の平均値に対して、各局所的情報値の標準偏差を算出する。この標準偏差を百分率で表す。
　表示の均一性に関する百分率は、液晶組成物６１を用いたものは約６％、液晶組成物６２を用いたものは約７％、液晶組成物６３を用いたものは約８％であった。表示を目視の結果、液晶組成物６１と６２による表示が好ましく、液晶組成物６３は表示にムラが多く、使用には不向きであった。以上のことから、（化
１
　【００５５】　
　（第
２
　この実施例では、液晶組成物中の、分子の末端にフッソ原子３個を有する液晶分子，分子の末端にフッソ原子２個を有する液晶分子，および分子の末端にシアノ基とフッソ原子を有する液晶分子の分量の和について説明する。液晶組成物７１は、（化
２
３
１
　【００５６】
　液晶組成物７２，液晶組成物７３は、それぞれ、（化
２
３
１
　【００５７】
　これらの液晶表示装置のクロストークの評価および表示の均一性の評価を、第１の実施例と同様に行った。クロストークの評価に関する百分率は、液晶組成物７１を用いたものは０．７％、液晶組成物７２を用いたものは１．０％、液晶組成物７３を用いたものは１．６％であった。表示を目視した結果、液晶組成物７１と７２による表示が好ましく、液晶組成物７３はクロストークが酷く、使用には不向きであった。
　【００５８】
　表示の均一性に関する百分率は、液晶組成物７１を用いたものは約４％、液晶組成物７２を用いたものは約６％、液晶組成物７３を用いたものは約９％であった。表示を目視の結果、液晶組成物７１と７２による表示が好ましく、液晶組成物７３は表示にムラが多く、使用には不向きであった。以上のことから、（化
２
３
１
　【００５９】
　【００６０】
　【００６１】
　【００６２】
　なお、上記実施例で作製した液晶表示装置は、２４０°の角度に捻られたスーパーツイステッドネマティック・モードとしたが、この発明の液晶組成物は、２２０°以上の角度に捻られたスーパーツイステッドネマティック・モードの液晶表示装置に適用できるものである。
　【００６３】
　【００６４】
　【００６５】
　
【発明の効果】
　以上のようにこの発明によれば、
１
　【００６６】
　また、（化
２
３
１
　【００６７】
【図面の簡単な説明】
　【図１】
　この発明の実施例における液晶表示装置のクロストークの評価方法を説明するための特性図である。
　【符号の説明】
　１　ベタ白表示の際の白表示画素の透過率−駆動電圧特性
　２　チェッカーパターン表示の際の白表示画素の透過率−駆動電圧特性
　３　ズレの電圧値